(57)【要約】【課題】  面格子を窓サッシの室内側に設置することにより、面格子が窓の室外側に突出することがないようにするとともに、窓部の外観の美観を保つことができ、かつ巻き取り部材に格子部材をコンパクトに巻き取ることができる開閉式の面格子を提供する。【解決手段】  窓サッシの室内側に設置される開閉式の面格子であって、窓サッシの室内側に互いに対向して配置された一対のガイドレールと、これらのガイドレールに沿って移動自在に設けられた複数個の格子部材３２と、隣り合う格子部材どうしを接近可能に連結する可撓性の連結部材と、ガイドレールの一端に隣接して配置され、格子部材３２を巻き取る巻き取り部材４２と、この巻き取り部材４２と格子部材３２とを連結するとともに、巻き取り部材４２に巻き取られる可撓性の引き寄せ部材４８とを備えている。【選択図】      図５
2005113569.tif 000002
【特許請求の範囲】
【請求項１】
窓サッシの室内側に設置される開閉式の面格子であって、
窓サッシの室内側に互いに対向して配置された一対のガイドレールと、これらのガイドレールに沿って移動自在に設けられた複数個の格子部材と、隣り合う格子部材どうしを接近可能に連結する可撓性の連結部材と、前記ガイドレールの一端に隣接して配置され、前記格子部材を巻き取る巻き取り部材と、この巻き取り部材と前記格子部材とを連結するとともに、前記巻き取り部材に巻き取られる可撓性の引き寄せ部材とを備えていることを特徴とする面格子。
【発明の詳細な説明】
【技術分野】
【０００１】
本発明は、窓サッシの室内側に設置される開閉式の面格子に関する。
【背景技術】
【０００２】
面格子は、人が室外から室内に侵入するの防止する防犯を目的として設けられるものであって、通常、窓サッシの室外側に設けられる。
この面格子には、面格子が視界を遮って開放感を得られないのを回避すること、あるいは火災時等の非常時に室外に出ることなどのために、面格子を開放することができるようにした開閉式のものがある。このような開閉式の面格子として、従来、例えば、特許文献１に記載のものが知られている。この面格子は、窓開口の室外側に互いに対向して配置された一対のガイドレールと、これらのガイドレールに走行自在に取り付けられた複数の格子部材と、これらの格子部材のうち、隣り合う格子部材どうしを回動自在に連結した連結部材と、ガイドレールの一端に隣接して配置され、ガイドレールから外れた格子部材を折り畳んで収納可能な収納部とを備えている。
【０００３】
【特許文献１】特開平８−１８９２６５号公報
【発明の開示】
【発明が解決しようとする課題】
【０００４】
しかしながら、このような従来の開閉式の面格子にあっては、窓の室外側に設置され、窓から室外側に突出しているので、窓の室外側空間の使用が制限されるとともに、窓部の外観の美観を損ねるという問題がある。また、縦すべり出し窓等で室外側に開く形態の窓には付けられないという問題もある。
また、面格子の格子部材は、収納部を小さくするためにコンパクトに巻き取り部材に巻き取ることが望ましい。
【０００５】
本発明は、前記事情に鑑みて為されたもので、面格子を窓サッシの室内側に設置することにより、面格子が窓の室外側に突出することがないようにするとともに、窓部の外観の美観を保つことができ、かつ巻き取り部材に格子部材をコンパクトに巻き取ることができる開閉式の面格子を提供することを目的とする。
【課題を解決するための手段】
【０００６】
前記目的を達成するために、請求項１に記載の面格子は、窓サッシの室内側に設置される開閉式の面格子であって、窓サッシの室内側に互いに対向して配置された一対のガイドレールと、これらのガイドレールに沿って移動自在に設けられた複数個の格子部材と、隣り合う格子部材どうしを接近可能に連結する可撓性の連結部材と、前記ガイドレールの一端に隣接して配置され、前記格子部材を巻き取る巻き取り部材と、この巻き取り部材と前記格子部材とを連結するとともに、前記巻き取り部材に巻き取られる可撓性の引き寄せ部材とを備えていることを特徴とする。
【０００７】
請求項１に記載の面格子においては、面格子が開くとき、すなわち巻き取り部材が格子部材を巻き取る方向に回転すると、巻き取り部材と格子部材とを連結する引き寄せ部材が巻き取り部材に巻き取られて、これにより格子部材が巻き取り部材に接近するように引き寄せられる。このとき、連結部材が隣り合う格子部材どうしを接近可能に連結しているので、格子部材の間の距離が接近してコンパクトになって各格子部材が巻き取り部材に巻き取られて行く。
【０００８】
一方、面格子が閉まるとき、すなわち巻き取り部材が格子部材を繰り出す方向に回転すると、隣り合う格子部材どうしを連結する連結部材により、隣接する格子部材どうしの間を所定の間隔に広げながら、各格子部材が順次巻き取り部材から繰り出されて行く。このとき、格子部材が繰り出されるに伴って、格子部材を巻き取り部材側に引き寄せるための引き寄せ部材も巻き取り部材から繰り出される。
【０００９】
本発明においては、巻き取り部材は、手動で回転させるものでも、あるいは電動機などの動力で回転させるものでもよい。また、格子部材は、例えば棒状の部材等を用いることができ、さらに軽量化のために筒状の部材を用いることもできる。また、連結部材および引き寄せ部材はそれぞれ、ワイヤ等の線状部材を用いることも、あるいは例えば可撓性の板状の部材等を用いることもできる。また、巻き取り部材と格子部材とを連結する引き寄せ部材は、通常、巻き取り部材と先端の格子部材とを連結するようにするが、これに限らず、先端から２番目や３番目の格子部材と連結するようにすることもできるし、あるいは中間に位置する格子部材などに連結するようにすることもでき、さらには複数個の格子部材と連結するようにすることもできる。
【発明の効果】
【００１０】
請求項１に記載の面格子によれば、面格子を窓サッシの室内側に設置したので、面格子が窓の室外側に突出することがないとともに、窓部の外観の美観を保つことができる。さらに、連結部材が隣り合う格子部材どうしを接近可能に連結しているとともに、引き寄せ部材が巻き取り部材と格子部材とを連結しているので、面格子が開くとき、すなわち巻き取り部材を格子部材を巻き取る方向に回転させると、格子部材の間の距離が接近状態で、各格子部材を巻き取り部材に巻き取ることができ、したがって巻き取り部材に格子部材をコンパクトに巻き取ることができる。
【発明を実施するための最良の形態】
【００１１】
以下、本発明の実施の形態を図面を参照しながら説明する。
図１ないし図１１は、本発明の実施の形態を示す図である。図１および図２は面格子を含む窓開口部を示す図であって、図１は縦断面図であり、図２は横断面図である。図３および図４は、面格子の隣接するパイプとこれらを連結するためのワイヤの部分を説明するための図であって、図３はパイプの間が離れた状態を示す正面図であり、図４はパイプの間が接近して密着した状態を示す正面図である。図５および図６は巻き取り部材とパイプとを示す図であって、図５は正面図であり、図６は側面図である。図７および図８は巻き取り部材を示す図であって、図７は正面図であり、図８は分解図である。図９ないし図１１はロック装置および閉塞部材を示す図であって、図９（ａ）はロック装置が作動する直前の状態を示す側面図、図９（ｂ）は平面図であり、図１０（ａ）はロック装置が作動している途中の状態を示す側面図、図１０（ｂ）は平面図であり、図１１（ａ）はロック装置が作動した状態を示す側面図、図１１（ｂ）は図１１（ａ）のＸ−Ｘ線に添う断面図である。
【００１２】
図１および図２において、符号１は、窓開口部Ｋの室外側に設置された縦すべり出し窓サッシ（窓サッシ）である。この縦すべり出し窓サッシ１は、上枠２および下枠３および左右の縦枠４、４からなる方形状の枠体５に、縦すべり出しで開閉する障子６が取り付けられて構成されている。上枠２、下枠３および縦枠４はそれぞれ、長尺のアルミニウム合金製の押出形材からなり、ねじ（図示せず）により互いに結合されて、躯体１１に釘１２およびねじ１３により固定されている。枠体５の室内側には、上下方向に開閉する上げ下げ式の網戸７が取り付けられている。
【００１３】
窓開口部Ｋには、縦すべり出し窓サッシ１の室内側に、面格子２０が次のようにして設置されている。
すなわち、左右の額縁Ｇに沿って、一対のガイドレール２１、２１が互いに対向して配置され、ねじ２２により躯体に固定されている。各ガイドレール２１、２１の各案内溝２３、２３に案内されて、上下方向に間隔をおいて連設された複数個のパイプ（格子部材）３２が上下方向に移動自在に設けられている。
【００１４】
各パイプ３２の両端部にはそれぞれ、各案内溝２３、２３内に挿入される挿入部３３、３３が設けられている。挿入部３３のパイプ３２側には、室内外方向に窪んでいる首部３４が形成され、案内溝２３の狭く絞られている狭窄部２４に、この首部３４が挿入されており、これにより狭窄部２４によって首部３４が左右方向および室内外方向の移動を規制されつつ、パイプ３２が上下方向に移動するようになっている。
【００１５】
図３および図４に示すように、各パイプ３２の各挿入部３３と隣接する上側の挿入部３３との間、および隣接する下側の挿入部３３との間にはそれぞれ、隣接するパイプ３２を連結するためのワイヤ（連結部材）３６、３６が設けられている。すなわち、各ワイヤ３６は、その上端部が互いに隣接する挿入部３３、３３のうちの上側の挿入部３３に固定されているとともに、下側の挿入部３３に設けられた孔に挿入され、下側の挿入部３３が下降していって、ワイヤ３６の下端部にきたときに、ワイヤ３６の下端部に設けられた拡径の係止部３７に下側の挿入部３３が係止されて、下側の挿入部３３がそれ以上下降しないようになっている。これにより、図３に示すように、下側の挿入部３３と上側の挿入部３３との間の間隔を一定に保持するとともに、図４に示すように、下側の挿入部３３が上側の挿入部３３に接近するときには、ワイヤ３６に規制されることなく自由に下側の挿入部３３が上昇できるようになっている。つまり、隣接するパイプ３２、３２の間の間隔を一定に保持するとともに、ワイヤ３６に規制されることなく自由に下側のパイプ３２が上昇して上側のパイプ３２に接近できるようになっている。
【００１６】
図５に示すように、最も下側のパイプ３２の両端部の挿入部３３Ａ、３３Ａは、その他の挿入部３３よりも外側（パイプ３２と反対側）に長く延びており、その先端部には、このパイプ３２を持ち上げるためのワイヤ４８の一端部（下端部）が固定される取付部３８が設けられている。
【００１７】
図１に示すように、両ガイドレール２１、２１の上部には、ボックス（収納部）４１が配置され、上側の躯体に固定されている。このボックス４１内には、パイプ３２を巻き取る円筒状の巻き取り部材４２が回転自在に設けられている。すなわち、図５ないし図８に示すように、ボックス４１の左右の側板の間に、軸４３が左右方向に延びるように固定されており、この軸４３の両端部の外側にそれぞれ、２段筒状の筒部材４４、４４が回転自在に嵌合され、各回転部材４４、４４の各大径部の外側にそれぞれ、円筒状の巻き取り部材４２の各端部が挿入され、ねじにより固定されている。巻き取り部材４２と軸４３との間にはねじりコイルばね（付勢部材）４６が設けられており、このねじりコイルばね４６は、パイプ３２が繰り出された際に弾性変形し、これにより巻き取り部材４２がパイプ３２を巻き取る方向に付勢して、巻き取り部材４２を巻き取り方向に回転させるものである。
【００１８】
各筒部材４４の小径部の外側には、外側に向かって次第に小径となるかさ車４７がねじにより固定されている。各かさ車４７には、パイプ３２を引き上げるためのワイヤ（引き寄せ部材）４８が巻回される溝が螺旋状に形成されている。ワイヤ４８の一端部（上端部）は、かさ車４７の大径側に固定されている一方、前述したように、他端部（下端部）は、最も下側のパイプ３２の取付部３８に固定されており、この最も下側のパイプ３２をワイヤ４８により引き上げることにより、全てのパイプ３２を一緒に引き上げるようになっている。
【００１９】
ボックス４１には、各筒部材４４の外側に、巻き取りガイド５１が固定されており、各巻き取りガイド５１により巻き取り部材４２に巻き取られる各パイプ３２がガイドされて、巻き取り部材４２の外周に整然と巻き取られる。基端のパイプ３２、すなわち一番最初に巻き取られるパイプ３２の首部３４には、ねじりコイルばね（付勢部材）５３の鉤状の一端部が係止されており、このねじりコイルばね５３の他端部はボックス４１に係止されている。このねじりコイルばね５３は、このパイプ３２が巻き取り部材４２に巻き取られた際に弾性変形し、これにより巻き取り部材４２から繰り出されて行く方向にこのパイプ３２を付勢するものであって、パイプ３２の繰り出しを容易にするために設けられている。
【００２０】
面格子２０を閉めるために、先端のパイプ３２、すなわち最も下側のパイプ３２を下降させて行くと、巻き取り部材４２が回転し、ねじりコイルばね５３の付勢力と各パイプ３２の自重により、各パイプ３２が順次巻き取り部材４２から繰り出される。このとき、隣接する上下のパイプ３２、３２の挿入部３３、３３の間に設けられたワイヤ３６により、隣接する上下のパイプ３２、３２の間の間隔を上から順次所定の間隔に広げながら、各パイプ３２が順次巻き取り部材４２から繰り出されて行く。また、パイプ３２を引き上げるためのワイヤ４８がかさ車４７から繰り出される。また、巻き取り部材４２がパイプ３２の繰り出し方向に回転するのに伴って、ねじりコイルばね４６が弾性変形し、巻き取り部材４２がパイプ３２の巻き取り方向に付勢される。
【００２１】
一方、面格子２０が開くとき、すなわちねじりコイルばね４６により巻き取り部材４２がパイプ３２の巻き取り方向に回転すると、ワイヤ４８がかさ車４７に巻き取られて行き、これにより最も下側のパイプ３２が上昇して行く。最も下側のパイプ３２が上昇して行くと、隣接する上下のパイプ３２、３２の挿入部３３、３３の間に設けられたワイヤ３６は、下側のパイプ３２が上昇して上側のパイプ３２に接近するのを規制していないので、最も下側のパイプ３２から順次その上側のパイプ３２に接近して行って、最も下側のパイプ３２の上に下側のパイプ３２から順次重ねられて密着し、各パイプ３２が巻き取り部材４２に巻き取られて行く。
【００２２】
かさ車４７は、外側に向かって次第に小径となるように形成され、ワイヤ４８は大径の部分から次第に小径の部分の溝によって巻き取られるようになっており、最初は巻き取る荷重が小さいので大径の部分を用いて巻き取り量を大きくし、その後次第に荷重が大きくなるので次第に小径の部分で巻き取るようになっている。
【００２３】
次に、この面格子２０のロック装置Ｒを説明する。
図９ないし図１１に示すように、各ガイドレール２１の下端部にはそれぞれ、板状のロック部材（回動部材）６１が設けられている。このロック部材６１は、ガイドレール２１の案内溝２３と直交するガイドレール２１内の壁２５にねじ６２により固定された取付板６３に、ピン６４により回動可能に取り付けられている。ロック部材６１の先端部分には、一対の第２の突出部６５Ａおよび第１の突出部６５Ｂが形成されており、これらの第２の突出部６５Ａと第１の突出部６５Ｂとの間の凹部６６の開口幅は、パイプ３２の外径よりも少し大きく設定されている。
ロック部材６１の下側には、ストッパ６７が取付板６３にピン６８により回動可能に取り付けられている。ストッパ６７の上端部分は山形に形成されている。ストッパ６７とロック部材６１との間には、引っ張りコイルばね（付勢部材）６９が設けられており、この引っ張りコイルばね６９により、ストッパ６７とロック部材６１とは案内溝２３と反対側が互いに接近するように付勢されている。
【００２４】
面格子２０が開いているときには、図９に示すように、ロック部材６１は、引っ張りコイルばね６９により付勢されて、第２の突出部６５Ａ、第１の突出部６５Ｂを上側にして斜めに位置し、下側の第１の突出部６５Ｂが案内溝２３に突き出している。一方、ストッパ６７は、斜め状態で、山形の頂部７１がロック部材６１の後端面の端部に当接している。
面格子２０を閉めるために、最も下側のパイプ３２が下降してくると、ロック部材６１の下側の第１の突出部６５Ｂを押して、引っ張りコイルばね６９の付勢力に抗して、ロック部材６１を案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる（図１０参照）。
面格子２０の全閉時、つまり最も下側のパイプ３２が最も下まで下降したときには、図１１に示すように、ロック部材６１は第２の突出部６５Ａ、第１の突出部６５Ｂを下側にして斜めに位置し、上側の第２の突出部６５Ａが案内溝２３に突き出している。この上側の第２の突出部６５Ａにより、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、これによりロック部材６１がこの状態で動かないようにされる。
【００２５】
図２および図１１に示すように、各ガイドレール２１の各ストッパ６７の近傍にはそれぞれ、鍵７４を用いる係合解除部材７５が取り付けられている。鍵７４を回すことにより、係合解除部材７５の押圧片７６がストッパ６７の下端部の略直角に折り曲げられた折曲部７８を、引っ張りコイルばね６９の付勢力に抗して下方に押すようになっており、これによりストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動する。したがって、鍵７４を回すことによりロック部材６１が自由に回動できるようになる。鍵７４を１回回動させれば、上記係合を解除することができるので、鍵７４から手を離すと、ねじりコイルばね（付勢部材）７９により押圧片７６が押圧位置から元の位置に復帰するようになっている。
【００２６】
図９ないし図１１に示すように、ロック部材６１には、板状の閉塞部材８１がピン８２により回動自在に取り付けられている。この閉塞部材８１は、ロック部材６１がピン６４を中心にガイドレール２１の案内溝２３側（時計方向）に回動するにつれて、ピン８２がピン６４を中心に案内溝２３側（時計方向）に徐々に回動し、これにより閉塞部材８１が案内溝２３側に徐々に移動して行き、案内溝２３の開口部を塞ぐようになっている。
【００２７】
ガイドレール２１の上端部には、板状の連動部材８４が設けられている。この連動部材８４はほぼL字状に形成されており、その折曲部は、壁２５の上端部にねじ８５により固定された取付板８６に、ピン８７により回動可能に取り付けられている。連動部材８４の一方の端部には、閉塞部材８１の上端部がピン８８により回動自在に取り付けられ、一方他方の端部には、細長い板状の連結部材９１の上端部がピン９２により回動自在に取り付けられている。連結部材９１の下端部には、ロック部材６１がピン９４により回動自在に取り付けられている。これにより、ロック部材６１がピン６４を中心にガイドレール２１の案内溝２３側（時計方向）に回動すると、連結部材９１を介してこの回動運動が連動部材８４に伝えられて連動部材８４がピン８７を中心に案内溝２３側（時計方向）に回動し、この回動運動に伴って、閉塞部材８１の上端部が案内溝２３側に移動して行き、案内溝２３の開口部を塞ぐ。したがって、閉塞部材８１の下端部がロック部材６１により案内溝側に移動されるとともに、下端部が連動部材８４により移動されて、閉塞部材８１が案内溝２３の開口部全体を閉塞する。
【００２８】
閉塞部材８１の案内溝２３側の側部には、各パイプ３２に対応する位置にそれぞれ、凹部９６が形成されており、閉塞部材８１が案内溝２３を覆った際に、各凹部９６内に各パイプ３２が位置して、閉塞部材８１と各パイプ３２との干渉が回避されるようになっている。
【００２９】
このように構成された面格子２０においては、面格子２０を閉めるために、パイプ３２を巻き取り部材４２から繰り出して下降させて行くと、図９に示すように、最も下側のパイプ３２がロック部材６１の下側の第１の突出部６５Ｂを下側に押して、図１０に示すように、引っ張りコイルばね６９の付勢力に抗して、ロック部材６１をガイドレール２１の案内溝２３側（同図において時計方向）にピン６４を中心に回動させる。このとき、ストッパ６７は、ロック部材６１の回動に伴って、ロック部材６１の後端面により案内溝２３と反対側に回動されて、略起立状態になる。また、ロック部材６１の回動に伴って、ロック部材６１に取り付けられた閉塞部材８１の下端部がピン６４を中心に案内溝２３側に回動すると同時に、連動部材８４に取り付けられた閉塞部材８１の上端部がピン８７を中心に案内溝２３側に回動し、これにより閉塞部材８１が案内溝２３側に移動して行く。
【００３０】
最も下側のパイプ３２が最も下まで下降すると、図１１に示すように、ロック部材６１がさらに回動し、ロック部材６１が第２の突出部６５Ａ、第１の突出部６５Ｂを下側にして斜めに位置し、上側の第２の突出部６５Ａが案内溝２３に突き出した状態になり、この第２の突出部６５により、パイプ３２は上側に移動しようとするのを阻止されて、ロック状態になる。このとき、ストッパ６７の山形の頂部７１が、ロック部材６１の側面の凹部７２に係合されて、引っ張りコイルばね６９の付勢力により互いに係合され、ロック部材６１がこの状態で動かないようにされる。また、ロック部材６１の回動に伴い、閉塞部材８１が案内溝２３側に移動し、案内溝２３の開口部を閉塞する。
【００３１】
一方、面格子２０を開けるには、まず、鍵７４を回して、係合解除部材７５の押圧片７６でストッパ６７の折曲部７８を、引っ張りコイルばね６９の付勢力に抗して下方に押す。これにより、ストッパ６７の頂部７１がロック部材６１の凹部７２から離れて係合が解除されるとともに、ロック部材６１が引っ張りコイルばね６９の付勢力によりストッパ６７の頂部７１とロック部材６１の凹部７２の係合位置からずれるように回動し、ロック部材６１が自由に回動できるようになる。
【００３２】
ロック部材６１が自由に回動できるようになると、ねじりコイルばね４６により巻き取り部材４２がパイプ３２の巻き取り方向に回転し、ワイヤ４８がかさ車４７に巻き取られて行き、これにより最も下側のパイプ３２が上昇する。この最も下側のパイプ３２が上昇すると、ロック部材６１の上側の第２の突出部６５Ａが上側に押されて、ロック部材６１がガイドレール２１の案内溝２３と反対側（図１１において反時計方向）にピン６４を中心に回動する。このとき、ロック部材６１は、引っ張りコイルばね６９の付勢力によっても回動する力を付与されている。このロック部材６１の回動に伴って、閉塞部材８１ガイドレール２１の案内溝２３から離れるように移動し、案内溝２３の開口部が開放されるとともに、各パイプ３２が自由に上昇できるようになり、各パイプ３２が巻き取り部材４２に巻き取られて行く。
【００３３】
この面格子２０にあっては、面格子２０を窓サッシ１の室内側に設置したので、面格子が窓の室外側に突出することがなく、また窓部の外観の美観を保つことができる。
また、ワイヤ３６が隣り合う格子部材３２、３２どうしを接近可能に連結しているとともに、ワイヤ４８が巻き取り部材４２と先端の格子部材３２とを連結しているので、面格子２０が開くとき、すなわち巻き取り部材４２を格子部材３２を巻き取る方向に回転させると、先端の格子部材３２がこの先端の格子部材３２に近い格子部材３２から順次各格子部材３２に接近し、先端の格子部材３２の上に順次重ねられて密着した状態で、各格子部材３２を巻き取り部材４２に巻き取ることができるため、巻き取り部材４２に格子部材３２をコンパクトに巻き取ることができる。
【図面の簡単な説明】
【００３４】
【図１】本発明の実施の形態に係る面格子を含む窓開口部を示す図であって、縦断面図である。
【図２】同、横断面図である。
【図３】面格子の隣接するパイプとこれらを連結するためのワイヤの部分を説明するための図であって、パイプの間が離れた状態を示す正面図である。
【図４】同、パイプの間が接近して密着した状態を示す正面図である。
【図５】巻き取り部材とパイプとを示す図であって、正面図である。
【図６】同、側面図である。
【図７】巻き取り部材を示す図であって、正面図である。
【図８】同、分解図である。
【図９】ロック装置および閉塞部材を示す図であって、（ａ）はロック装置が作動する直前の状態を示す側面図であり、（ｂ）は平面図である。
【図１０】同、（ａ）はロック装置が作動している途中の状態を示す側面図であり、（ｂ）は平面図である。
【図１１】同、（ａ）はロック装置が作動した状態を示す側面図であり、（ｂ）は（ａ）のＸ−Ｘ線に添う断面図である。
【符号の説明】
【００３５】
１      縦すべり出し窓サッシ（窓サッシ）
２０    面格子
２１    ガイドレール
３２    パイプ（格子部材）
３６    ワイヤ（連結部材）
４２    巻き取り部材
４８    ワイヤ（引き寄せ部材）
【図１】
2005113569.tif 000003
【図２】
2005113569.tif 000004
【図３】
2005113569.tif 000005
【図４】
2005113569.tif 000006
【図５】
2005113569.tif 000007
【図６】
2005113569.tif 000008
【図７】
2005113569.tif 000009
【図８】
2005113569.tif 000010
【図９】
2005113569.tif 000011
【図１０】
2005113569.tif 000012
【図１１】
2005113569.tif 000013